【手続補正書】
【提出日】平成25年7月12日(2013.7.12)
【手続補正１】
【補正対象書類名】特許請求の範囲
【補正対象項目名】全文
【補正方法】変更
【補正の内容】
【特許請求の範囲】
【請求項１】
媒体表面上に、所定の規則にしたがって線状に連続して配置された複数の基準ドットと、
直線、折れ線および／または曲線からなり、該複数の基準ドット上に仮想的に設けられた第一の仮想基準線、および／または該基準ドット、から所定の位置に仮想的に定義された、直線および／または曲線からなる第二の仮想基準線上の所定の位置に設けられた複数の仮想基準点を始点としてベクトルにより表現した終点に配置され、該仮想基準点からの距離および方向の少なくとも一つとで情報が定義された情報ドットと、からなる
ことを特徴とするストリームドットパターン。
【請求項２】
前記基準ドットは、
所定間隔に配置された
ことを特徴とする請求項１記載のストリームドットパターン。
【請求項３】
前記第二の仮想基準線上に設けられた仮想基準点は、
該第二の仮想基準線上に代えて、前記基準ドット上に設けられた
ことを特徴とする請求項１記載のストリームドットパターン。
【請求項４】
前記仮想基準点は、さらに前記基準ドット上に設けられた
ことを特徴とする請求項１記載のストリームドットパターン。
【請求項５】
前記基準ドットは、さらに前記仮想基準点上に配置された
ことを特徴とする請求項１記載のストリームドットパターン。
【請求項６】
前記基準ドットは、さらに前記仮想基準点上に配置され、
当該仮想基準点上に配置された基準ドットと、前記所定の規則にしたがって線状に連続して配置された複数の基準ドットと、を結んだ所定位置に、さらに仮想基準点を設けられた
ことを特徴とする請求項１記載のストリームドットパターン。
【請求項７】
前記基準ドットは、
前記媒体表面上に少なくとも２列以上配置され、
該２列以上の基準ドットに対応して２以上設けられ、
基準ドットおよび／または第一の仮想基準線から所定の位置に定義された第二の仮想基準線は、
該２以上の第一の仮想基準線の間に定義された
ことを特徴とする請求項１記載のストリームドットパターン。
【請求項８】
前記第二の仮想基準線は、
異なる前記２以上の第一の仮想基準線上に配置されている複数の基準ドットを結ぶ直線である
ことを特徴とする請求項７記載のストリームドットパターン。
【請求項９】
前記第二の仮想基準線上の所定の位置に設けられた複数の仮想基準点は、
前記第二の仮想基準線の中間点に設けられた
ことを特徴とする請求項７記載のストリームドットパターン。
【請求項１０】
前記基準ドットおよび／または第一の仮想基準線から所定の位置に定義された第二の仮想基準線は、
隣り合う基準ドットを直線で結ぶ第一の仮想基準線を底辺とする三角形を形成する対辺を構成する直線であり、
第二の仮想基準線上の所定位置に設けられる複数の仮想基準点は、
該三角形の頂点または該三角形の対辺上に設けられた
ことを特徴とする請求項１記載のストリームドットパターン。
【請求項１１】
前記三角形は、前記隣り合う基準ドットにおける所定の底角、前記底辺に対して所定の倍率となる対辺の長さ、または該底辺に対して所定の倍率となる該底辺から前記頂点までの高さにより定義された
ことを特徴とする請求項１０記載のストリームドットパターン。
【請求項１２】
前記三角形は、
二等辺三角形または正三角形である
ことを特徴とする請求項１０記載のストリームドットパターン。
【請求項１３】
前記基準ドットおよび／または第一の仮想基準線から所定の位置に定義された第二の仮想基準線は、
該折れ線からなる第一の仮想基準線の頂点において内角を二等分する直線であって、
前記第二の仮想基準線上の所定位置に設けられた複数の仮想基準点は、
前記複数の基準ドットから所定の距離に設けられた
ことを特徴とする請求項１記載のストリームドットパターン。
【請求項１４】
前記基準ドットは、前記折れ線からなる第一の仮想基準線の頂点にのみ配置されたことを特徴とする請求項１記載のストリームドットパターン。
【請求項１５】
前記基準ドットおよび／または第一の仮想基準線から所定の位置に定義される第二の仮想基準線は、
曲線からなる該第一の仮想基準線の接線に対し任意の角度の直線であって、
前記第二の仮想基準線上の所定位置に設けられた複数の仮想基準点は、
隣り合う該基準ドットから定まる所定の位置に設けられた
ことを特徴とする請求項１記載のストリームドットパターン。
【請求項１６】
前記隣り合う基準ドットから定まる所定の位置は、
該隣り合う基準ドットから所定の角度をなす前記第二の仮想基準線の交点、該隣り合う基準ドットを結ぶ曲線からなる前記第一の仮想基準線の長さに対して所定の倍率となる該基準ドットからの距離、または該隣り合う基準ドットを結ぶ曲線からなる前記第一の仮想基準線の長さに対して所定の倍率となる該第一の仮想基準線からの高さで定義された
ことを特徴とする請求項１５記載のストリームドットパターン。
【請求項１７】
前記基準ドットおよび／または第一の仮想基準線から所定の位置に定義された第二の仮想基準線は、
前記基準ドットまたは隣り合う該基準ドットの中間点を通る直線である
ことを特徴とする請求項１記載のストリームドットパターン。
【請求項１８】
前記基準ドットおよび／または第一の仮想基準線から所定の位置に定義された第二の仮想基準線は、
直線からなる該第一の仮想基準線に対し垂直な直線であるか、曲線からなる該第一の仮想基準線の接線に対し垂直な直線であって、
前記第二の仮想基準線上の所定位置に設けられた複数の仮想基準点は、
隣り合う該基準ドットから定まる所定の位置に設けられた
ことを特徴とする請求項１記載のストリームドットパターン。
【請求項１９】
前記第二の仮想基準線上の所定位置に設けられた複数の仮想基準点は、
直線からなる前記第一の仮想基準線または曲線からなる該第一の仮想基準線の接線から一定の距離に設けられた
ことを特徴とする請求項１記載のストリームドットパターン。
【請求項２０】
前記複数の基準ドットは、
異なる間隔で配置され、
該配置間隔により、ドットパターンの方向とドットパターンの一定情報のまとまりが定義される
ことを特徴とする請求項１記載のストリームドットパターン。
【請求項２１】
前記複数の基準ドットは、
ドットパターンの一定情報のまとまり毎に、少なくとも１組の隣り合う該基準ドットの間隔が、他と異なる（他は均一）よう配置され、該配置間隔により、該ドットパターンの一定情報のまとまりが定義された
ことを特徴とする請求項２０記載のストリームドットパターン。
【請求項２２】
前記複数の基準ドットは、
ドットパターンの一定情報のまとまり毎に、少なくとも２組の隣り合う該基準ドットの間隔が、互いに異なり、他とも異なる（他は均一）よう配置され、該配置間隔により、ドットパターンの方向とドットパターンの一定情報のまとまりが定義された
ことを特徴とする請求項２０記載のストリームドットパターン。
【請求項２３】
前記仮想基準点を始点としてベクトルにより表現した終点に、該仮想基準点からの距離と方向とで情報が定義された情報ドットは、
前記第一の仮想基準線に対して、相対する両側各々において、異なるずれ方向をもって配置され、
該ずれ方向の相違により、ドットパターンの方向とドットパターンの一定情報のまとまりが定義された
ことを特徴とする請求項１記載のストリームドットパターン。
【請求項２４】
前記第二の仮想基準線上の所定位置に設けられた複数の仮想基準点は、
前記第一の仮想基準線を挟んだ両側各々に、異なる個数配置され、
該個数の相違により、ドットパターンの方向とドットパターンの一定情報のまとまりが定義された
ことを特徴とする請求項１記載のストリームドットパターン。
【請求項２５】
前記仮想基準点を始点としてベクトルにより表現した終点に配置され、該仮想基準点からの距離と方向とで情報が定義された情報ドットは、
前記第一の仮想基準線を挟んだ両側各々に、異なる個数配置され、
該個数の相違により、ドットパターンの方向とドットパターンの一定情報のまとまりが定義された
ことを特徴とする請求項１記載のストリームドットパターン。
【請求項２６】
前記仮想基準点を始点としてベクトルにより表現した終点に配置され、該仮想基準点からの距離と方向とで情報が定義された情報ドットを、該仮想基準点ごとに配置するか、該仮想基準点上に配置するか、または、いずれにも配置しないか、によって情報が定義された
ことを特徴とする請求項１記載のストリームドットパターン。
【請求項２７】
前記複数の基準ドットのうち、少なくとも１個の基準ドットがキードットとして所定位置にずらして配置され、ドットパターンの方向と一定情報のまとまりが定義されたことを
特徴とする請求項１記載のストリームドットパターン。
【請求項２８】
前記キードットは前記第二の仮想基準線の向きと平行方向または垂直方向の所定位置に配置され、ドットパターンの方向と一定情報のまとまりを定義された
ことを特徴とする請求項２７記載のストリームドットパターン。
【請求項２９】
前記複数の基準ドットのうち、少なくとも１個の基準ドットを通る、
前記第一の仮想基準線を形成する直線または曲線の接線に対して垂直であるか、
前記第一の仮想基準線を形成する折れ線の頂点において内角を二等分する直線である、第三の仮想基準線が仮想的に設けられ、
前記キードットは該第三の仮想基準線上の所定位置に配置されて、ドットパターンの方向と一定情報のまとまりを定義された
ことを特徴とする請求項２７記載のストリームドットパターン。
【請求項３０】
前記基準ドットおよび／または第一の仮想基準線から所定の位置に定義される第二の仮想基準線は、
前記キードットとしてずらして配置される該基準ドット以外の基準ドットのみから定義された
ことを特徴とする請求項２７記載のストリームドットパターン。
【請求項３１】
前記複数の基準ドットのうち、少なくとも１個の基準ドットを通る、
前記第一の仮想基準線を形成する直線または、曲線の接線に対して垂直であるか、
前記第一の仮想基準線を形成する折れ線の頂点において内角を二等分する直線である、第三の仮想基準線が設けられ、
該第三の仮想基準線上の所定位置に、ドットパターンの方向とドットパターンの一定情報のまとまりを定義する少なくとも１個のサイドドットを備える
ことを特徴とする請求項１記載のストリームドットパターン。
【請求項３２】
前記第二の仮想基準線上の所定位置に設けられる複数の仮想基準点は、
前記第一の仮想基準線と平行である、前記サイドドットを仮想的に通る第四の仮想基準線上に設けられた
ことを特徴とする請求項３１記載のストリームドットパターン。
【請求項３３】
前記複数の仮想基準点は、
前記第四の仮想基準線上に所定間隔に設けられた
ことを特徴とする請求項３２記載のストリームドットパターン。
【請求項３４】
前記サイドドットは、
前記第一の仮想基準線を挟んだ両側各々に、前記第一の仮想基準線から異なる距離に少なくとも１個以上配置され、
該サイドドットと該第一の仮想基準線との距離でドットパターンの方向が定義された
ことを特徴とする請求項３１記載のストリームドットパターン。
【請求項３５】
前記複数の基準ドットのうち、少なくとも１個の基準ドットがキードットとして所定位置にずらして配置され、
前記複数の基準ドットのうち、少なくとも１個の基準ドットを通る、
前記第一の仮想基準線を形成する直線または、曲線の接線に対して垂直であるか、
前記第一の仮想基準線を形成する折れ線の頂点において内角を二等分する直線である、第三の仮想基準線が設けられ、
該第三の仮想基準線上の所定位置に、ドットパターンの方向とドットパターンの一定情報のまとまりを定義する少なくとも１個のサイドドットが配置され、
前記第一の仮想基準線を挟んだ両側各々に、前記第一の仮想基準線から等距離の位置に少なくとも１個以上配置され、
該サイドドットと前記キードットとの距離でドットパターンの方向とドットパターンの一定情報のまとまりが定義された
ことを特徴とする請求項１記載のストリームドットパターン。
【請求項３６】
基準ドットおよび／または情報ドットは、
向きを表現できる多角形状により形成され、
該形状によりドットパターンの方向が定義された
ことを特徴とする請求項１記載のストリームドットパターン。
【請求項３７】
一の基準ドットおよび／または情報ドットは、
他の基準ドットおよび／または情報ドットと異なる大きさにより形成され
該大きさの相違により、ドットパターンの方向と一定情報のまとまりが定義された
ことを特徴とする請求項１記載のストリームドットパターン。
【請求項３８】
一の基準ドットおよび／または情報ドットは、
他の基準ドットおよび／または情報ドットと異なる形状により形成され、
該形状の相違により、ドットパターンの方向と一定情報のまとまりが定義された
ことを特徴とする請求項１記載のストリームドットパターン。
【請求項３９】
前記情報ドットにより定義される情報は、
ＸＹ座標値および／またはコード値である
ことを特徴とする請求項１記載のストリームドットパターン。
【請求項４０】
請求項１記載のストリームドットパターンが１ラインまたは複数並べられて構成された
ストリームドットパターン。
【請求項４１】
前記ストリームドットパターンは、前記第二の仮想基準線を定義するために、および／または前記ドットパターンの方向と１つのＸＹ座標値および／またはコード値を定義するために、基準となる基準ドットが所定の位置に配置された
ことを特徴とする請求項４０記載のストリームドットパターン。
【請求項４２】
前記複数の基準ドットまたは前記複数の仮想基準点は、
少なくとも媒体表面上に可視的に形成された実在線上または該実在線に沿って配置された
ことを特徴とする請求項１記載のストリームドットパターン。
【請求項４３】
請求項１〜４２のいずれかに記載のストリームドットパターンが形成された媒体。
【請求項４４】
前記ストリームドットパターンは、印刷、ディスプレイ表示、または媒体に貫通孔もしくは凸凹を設けることにより、媒体に形成される請求項４３記載のストリームドットパターン。
【請求項４５】
基準ドットおよび／または情報ドットは、
媒体表面上の可視的な情報の印刷に用いられるインクと照射光に対して反応が異なる特性のインクで印刷された
ことを特徴とする請求項４４記載のストリームドットパターンが形成された媒体。
【請求項４６】
前記反応が異なる特性のインクは、
不可視である
ことを特徴とする請求項４５記載のストリームドットパターンが形成された媒体。
【請求項４７】
前記照射光は、赤外線であり、
前記特性のインクは、赤外線吸収インクであり、
媒体表面上の可視的な情報の印刷に用いられるインクは、赤外線透過インクまたは赤外線反射インクである
ことを特徴とする請求項４５記載のストリームドットパターンが形成された媒体。
【請求項４８】
請求項１〜４２のいずれかに記載のストリームドットパターンを撮影する光学読取手段と、
当該ストリームドットパターンを解析して当該ストリームドットパターンの定義する数値を取得する解析手段と、を備える光学読取装置。
【請求項４９】
請求項１〜４２のいずれかに記載のストリームドットパターンを撮影し、
解析して当該ストリームドットパターンの定義する数値を取得する、読み取り方法。
【請求項５０】
請求項１〜４２のいずれかに記載のストリームドットパターンを光学読取手段で撮影した画像データを解析して、当該ストリームドットパターンの定義する数値を取得するためのプログラムを格納した電子装置。
【請求項５１】
請求項１〜４２のいずれかに記載のストリームドットパターンを撮影する光学読取手段と、
当該ストリームドットパターンを解析して当該ストリームドットパターンの定義する数値を取得し、前記取得された数値を基に情報出力装置を制御する解析手段と、を備えるストリームドットパターン読取装置。
【請求項５２】
請求項１〜４２のいずれかに記載のストリームドットパターンを撮影し、
解析して当該ストリームドットパターンの定義する数値を取得し、
前記取得された数値を基に情報出力装置を制御する、読取方法。
【請求項５３】
請求項１〜４２のいずれかに記載のストリームドットパターンを撮影する光学読取手段と、
当該画像データを解析して当該ストリームドットパターンの定義する数値を取得し、前記復号された数値と対応する処理を実行する解析手段と、
を備える情報処理装置。
【請求項５４】
請求項１〜４２のいずれかに記載のストリームドットパターンを生成するためのストリームドットパターン生成プログラムを格納した電子装置。
【請求項５５】
請求項１〜４２のいずれかに記載のストリームドットパターンを生成するためのストリームドットパターン生成アルゴリズムにしたがってプログラムされた、ストリームドットパターン生成装置。
【請求項５６】
請求項１〜４２のいずれかに記載のストリームドットパターンを生成するためのストリームドットパターン生成アルゴリズムにしたがってストリームドットパターンを生成する、ストリームドットパターン生成方法。
【請求項５７】
請求項１〜４２のいずれかに記載のストリームドットパターンを撮影する光学読取手段と、
当該ストリームドットパターンを解析して当該ストリームドットパターンの定義する数値を取得する解析手段と、
当該解析手段で取得された数値と関連付けられた音声を出力する音声出力手段と、
を備える音声出力装置。
【請求項５８】
請求項１〜４２のいずれかに記載のストリームドットパターンを撮影する光学読取手段と、
当該ストリームドットパターンを解析して当該ストリームドットパターンの定義する数値を取得する解析手段と、
当該解析手段で取得された数値と関連付けられた情報の出力およびプログラムの実行の少なくとも１つを行う手段と、
を備える情報入出力装置。
【請求項５９】
請求項１〜４２のいずれかに記載のストリームドットパターンを光学読取手段で撮影した画像データを解析して、当該ストリームドットパターンの定義する数値を取得して、取得された数値と関連付けられた情報の出力およびプログラムの実行の少なくとも１つを行うためのプログラムを格納した電子装置。
【請求項６０】
前記対応する処理は、音声、画像、動画、文字、およびプログラムの実行結果の少なくとも１つを出力することである、請求項５３記載の情報処理装置。
【請求項６１】
媒体表面上に、ドットの所定の規則により情報を定義するストリームドットパターンを形成するにあたって、以下の工程を含むことを特徴とするストリームドットパターン。
１）該媒体表面上に、所定の規則にしたがって線状に連続して複数の基準ドットを配置する工程。
２）該複数の基準ドットを結ぶ、直線、折れ線および／または曲線からなる第一の仮想基準線を設ける工程。
３）該基準ドットおよび／または該第一の仮想基準線から所定の位置に定義される、直線および／または曲線からなる第二の仮想基準線を設ける工程。
４）該第二の仮想基準線上の所定の位置に複数の仮想基準点を設ける工程。
５）該仮想基準点を始点としてベクトルにより表現した終点に、該仮想基準点からの距離と方向とで情報が定義される情報ドットを配置する工程。
【手続補正２】
【補正対象書類名】明細書
【補正対象項目名】００１０
【補正方法】変更
【補正の内容】
【００１０】
これらのストリームドットパターンは、可視的な情報を媒体に付加する手段により形成され、ストリームドットパターン形成媒体となる。
【手続補正３】
【補正対象書類名】明細書
【補正対象項目名】００１１
【補正方法】変更
【補正の内容】
【００１１】
本発明のストリームドットパターンの読み取り装置は、媒体に形成されたストリームドットパターンを画像データとして取り込む光学読取手段と、当該画像データより、所定の規則にしたがって線状に連続して配置された複数の基準ドットを抽出し、該複数の基準ドットを結ぶ、直線、折れ線および／または曲線からなる第一の仮想基準線を設け、該基準ドットおよび／または該第一の仮想基準線から所定の位置に、直線および／または曲線からなる第二の仮想基準線を設け、該第二の仮想基準線上の所定の位置に複数の仮想基準点を設け、該仮想基準点を始点としてベクトルにより表現した終点に配置された情報ドットを抽出し、該仮想基準点から該情報ドットまでの距離と方向とで定義された情報を復号する情報処理手段と、を備えることを特徴とする。